(57)【要約】      （修正有）【課題】画像を貼付した記録シートに画像を形成した印刷物を読み取ることによって、当該画像を含むスキャンデータを保存する不正行為を防止する画像読取装置を提供する。【解決手段】プリンター装置が出力する印刷物を読み取ってスキャンデータを検査する読取装置において、プリンター装置から印刷データを取得して（Ｓ６０１）、印刷データがスキャンデータと一致するか確認する（Ｓ６０２）。両データが一致しない場合には（Ｓ６０３：ＮＯ）、その旨の確認結果を記憶し（Ｓ６０４）、スキャンデータにトンボが含まれているか確認する（Ｓ６０５）。トンボが含まれている場合には（Ｓ６０６：ＹＥＳ）、トンボ外領域に参照画像が含まれているか確認する（Ｓ６０７）。参照画像が含まれている場合には（Ｓ６０８：ＹＥＳ）、その旨の検知結果を記憶する（Ｓ６０９）。その後、この検知結果を利用して、参照画像を含むスキャンデータを破棄し、悪用を阻止する。【選択図】図６
2020088828.tif 000002
【特許請求の範囲】
【請求項１】
画像形成装置が出力した印刷物から読み取って得られたスキャンデータを取得する読み取り手段と、
前記印刷物の画像形成に用いた印刷データを前記画像形成装置から取得する取得手段と、
前記スキャンデータと前記印刷データとを比較して一致するか否かを判定する第１の判定手段と、
前記第１の判定手段の判定結果が否定的である場合に、前記スキャンデータに所定の参照画像が含まれているか否かを判定する第２の判定手段と、
前記第２の判定手段の判定結果が肯定的である場合に、前記スキャンデータを破棄させる破棄手段と、を備える
ことを特徴とする画像読取装置。
【請求項２】
前記スキャンデータ中のトンボを検出するトンボ検出手段を備え、
前記第１の判定手段は、前記トンボによって区画された画像領域外に、前記トンボ以外の画像がある場合に、一致しないと判定する
ことを特徴とする請求項１に記載の画像読取装置。
【請求項３】
前記第２の判定手段は、前記スキャンデータを複数のブロックに領域分割して、前記ブロック単位で前記判定を実行する
ことを特徴とする請求項１または２に記載の画像読取装置。
【請求項４】
前記印刷物を画像形成した際の変倍率を前記画像形成装置から取得する変倍率取得手段と、
前記第２の判定手段の判定結果が肯定的であるブロックを、前記変倍率取得手段にて取得した変倍率の逆数の変倍率だけ変倍する逆変倍手段と、
前記逆変倍手段が変倍したブロックに所定の参照画像が含まれているか否かを判定する第３の判定手段と、
前記第３の判定手段の判定結果が肯定的であるブロックがある場合に、前記読み取り手段が記録しているスキャンデータを破棄させる第２の破棄手段と、を備える
ことを特徴とする請求項３に記載の画像読取装置。
【請求項５】
前記印刷物を画像形成した際の変倍率を前記画像形成装置から取得する変倍率取得手段と、
前記所定の参照画像を、前記変倍率取得手段にて取得した変倍率だけ変倍する変倍手段と、
前記第２の判定手段の判定結果が肯定的であるブロックに、前記変倍手段が変倍した所定の参照画像が含まれているか否かを判定する第４の判定手段と、
前記第４の判定手段の判定結果が肯定的であるブロックがある場合に、前記読み取り手段が記録しているスキャンデータを破棄させる第３の破棄手段と、を備える
ことを特徴とする請求項３に記載の画像読取装置。
【請求項６】
前記画像形成装置から印刷データを取得する印刷データ取得手段と、
前記印刷物を画像形成した際の変倍率を前記画像形成装置から取得する変倍率取得手段と、
前記スキャンデータのうち、前記印刷データにおいてトナー像の形成が予定されていない白地領域については、そのまま前記所定の参照画像が含まれているか否かを判定し、
前記白地領域以外の領域については、前記変倍率取得手段にて取得した変倍率の逆数の変倍率だけ変倍してから、前記所定の参照画像が含まれているか否かを判定する第５の判定手段と、
前記第５の判定手段の判定結果が肯定的であるブロックがある場合に、前記読み取り手段が記録しているスキャンデータを破棄させる第４の破棄手段と、を備える
ことを特徴とする請求項１に記載の画像読取装置。
【請求項７】
前記画像形成装置から印刷データを取得する印刷データ取得手段と、
前記印刷物を画像形成した際の変倍率を前記画像形成装置から取得する変倍率取得手段と、
前記スキャンデータのうち、前記印刷データにおいてトナー像の形成が予定されていない白地領域については、そのまま前記所定の参照画像が含まれているか否かを判定し、
前記白地領域以外の領域については、前記変倍率取得手段にて取得した変倍率だけ前記所定の参照画像を変倍してから、当該変倍後の画像が含まれているか否かを判定する第６の判定手段と、
前記第６の判定手段の判定結果が肯定的であるブロックがある場合に、前記読み取り手段が記録しているスキャンデータを破棄させる第５の破棄手段と、を備える
ことを特徴とする請求項１に記載の画像読取装置。
【請求項８】
前記第１の判定手段は、前記スキャンデータを複数のブロックに領域分割して、前記ブロック単位で前記判定を実行する
ことを特徴とする請求項３から７のいずれかに記載の画像読取装置。
【請求項９】
前記参照画像は所定の特徴を有する特徴パターンを含む
ことを特徴とする請求項１から９のいずれかに記載の画像読取装置。
【発明の詳細な説明】
【技術分野】
【０００１】
本発明は、画像読取装置に関し、特に、複製が禁止されている画像データの作成を阻止する技術を関する。
【背景技術】
【０００２】
近年、画像形成装置が出力する印刷物の品質を管理することを目的として、印刷物を読み取って得られたスキャンデータが元の印刷データと一致しているか否かを確認する読取装置が用いられる場合がある。読取装置は、履歴情報としてスキャンデータを保存する機能を備えており、品質上の問題が発見された場合、画像形成装置のユーザーは履歴情報を参照すれば、どのような問題が発生したかを確認することができる。
【０００３】
読取装置は、印刷物の品質管理の他に紙幣などの偽造判定にも使用することができる（例えば、特許文献１を参照）。読取装置は、例えば、偽造を防止したい画像を識別するための目印となる画像（以下、「参照画像」という。）をあらかじめ記憶しておき、参照画像がスキャンデータに含まれているか否かを確認して、参照画像が含まれている場合には、印刷物をしたり、利用することができないように印刷物にマークを施したり、専用のトレイへ排紙したりすることによって不正利用を阻止することができる。
【先行技術文献】
【特許文献】
【０００４】
【特許文献１】特開２０１４−１１３７７５号公報
【発明の概要】
【発明が解決しようとする課題】
【０００５】
しかしながら、画像形成装置が参照画像を含んだＲＩＰ（Raster Image Processing）データを変倍した印刷データを用いて印刷を行うと、当該印刷物を読み取ったスキャンデータにおいて参照画像が変倍されているため、原寸の参照画像と一致しない。このため、偽造を防止したい画像を識別することができない。このようなスキャンデータを履歴情報として保存すると、当該スキャンデータが悪用される恐れが生じる。
【０００６】
このような問題に対して、例えば、読取装置が画像形成装置から変倍率を取得し、スキャンデータを逆変倍することによって、標識を原寸に戻した逆変倍データを用いる対策が考えられる。このようにすれば、参照画像を検知することができるので、偽造を防止したい画像を識別することができるようになる。
【０００７】
しかしながら、このような対策を施しても、不正なスキャンデータの保存を防止できない場合がある。例えば、参照画像を含んでいないという意味で適正なＲＩＰデータを変倍して印刷する場合に、当該印刷に供する記録シートに紙幣などを貼付する不正行為が考えられる。
【０００８】
このような不正行為が行われた場合、読取装置が、画像形成装置から変倍率を取得して、スキャンデータを逆変倍すると、スキャンデータのうち記録シートに貼付された紙幣を読み取った部分も逆変倍される。その結果、当該紙幣の画像に含まれている参照画像もまた逆変倍され、原寸でなくなってしまうと、原寸でない参照画像は検知できないので、スキャンデータに含まれている原寸の紙幣の画像を識別することができない。
【０００９】
このため、原寸の紙幣の画像を含んだスキャンデータが履歴情報として保存され、不正利用されてしまう恐れがある。そして、このような不正行為は紙幣以外の画像についても行われ、不正なスキャンデータが保存され得るため、対策が不可欠である。
【００１０】
本発明は、上述のような問題に鑑みて為されたものであって、画像を貼付した記録シートに画像を形成した印刷物を読み取ることによって、当該画像を含むスキャンデータを保存する不正行為を防止する画像読取装置を提供することを目的とする。
【課題を解決するための手段】
【００１１】
上記目的を達成するため、本発明に係る画像読取装置は、画像形成装置が出力した印刷物から読み取って得られたスキャンデータを取得する読み取り手段と、前記印刷物の画像形成に用いた印刷データを前記画像形成装置から取得する取得手段と、前記スキャンデータと前記印刷データとを比較して一致するか否かを判定する第１の判定手段と、前記判定手段の判定結果が否定的である場合に、前記スキャンデータに所定の参照画像が含まれているか否かを判定する第２の判定手段と、前記第２の判定手段の判定結果が肯定的である場合に、前記読み取り手段が記録しているスキャンデータを破棄させる破棄手段と、を備えることを特徴とする。
【００１２】
この場合において、前記スキャンデータ中のトンボを検出するトンボ検出手段を備え、前記第１の判定手段は、前記トンボによって区画された画像領域外に、前記トンボ以外の画像がある場合に、一致しないと判定してもよい。
【００１３】
また、前記第２の判定手段は、前記スキャンデータを複数のブロックに領域分割して、前記ブロック単位で前記判定を実行してもよい。
【００１４】
また、前記印刷物を画像形成した際の変倍率を前記画像形成装置から取得する変倍率取得手段と、前記第２の判定手段の判定結果が肯定的であるブロックを、前記変倍率取得手段にて取得した変倍率の逆数の変倍率だけ変倍する逆変倍手段と、前記逆変倍手段が変倍したブロックに所定の参照画像が含まれているか否かを判定する第３の判定手段と、前記第３の判定手段の判定結果が肯定的であるブロックがある場合に、前記読み取り手段が記録しているスキャンデータを破棄させる第２の破棄手段と、を備えてもよい。
【００１５】
また、前記印刷物を画像形成した際の変倍率を前記画像形成装置から取得する変倍率取得手段と、前記所定の参照画像を、前記変倍率取得手段にて取得した変倍率だけ変倍する変倍手段と、前記第２の判定手段の判定結果が肯定的であるブロックに、前記変倍手段が変倍した所定の参照画像が含まれているか否かを判定する第４の判定手段と、前記第４の判定手段の判定結果が肯定的であるブロックがある場合に、前記読み取り手段が記録しているスキャンデータを破棄させる第３の破棄手段と、を備えてもよい。
【００１６】
また、前記画像形成装置から印刷データを取得する印刷データ取得手段と、前記印刷物を画像形成した際の変倍率を前記画像形成装置から取得する変倍率取得手段と、前記スキャンデータのうち、前記印刷データにおいてトナー像の形成が予定されていない白地領域については、そのまま前記所定の参照画像が含まれているか否かを判定し、前記白地領域以外の領域については、前記変倍率取得手段にて取得した変倍率の逆数の変倍率だけ変倍してから、前記所定の参照画像が含まれているか否かを判定する第５の判定手段と、前記第５の判定手段の判定結果が肯定的であるブロックがある場合に、前記読み取り手段が記録しているスキャンデータを破棄させる第４の破棄手段と、を備えてもよい。
【００１７】
また、前記画像形成装置から印刷データを取得する印刷データ取得手段と、前記印刷物を画像形成した際の変倍率を前記画像形成装置から取得する変倍率取得手段と、前記スキャンデータのうち、前記印刷データにおいてトナー像の形成が予定されていない白地領域については、そのまま前記所定の参照画像が含まれているか否かを判定し、前記白地領域以外の領域については、前記変倍率取得手段にて取得した変倍率だけ前記所定の参照画像を変倍してから、当該変倍後の画像が含まれているか否かを判定する第６の判定手段と、前記第６の判定手段の判定結果が肯定的であるブロックがある場合に、前記読み取り手段が記録しているスキャンデータを破棄させる第５の破棄手段と、を備えてもよい。
【００１８】
また、前記第１の判定手段は、前記スキャンデータを複数のブロックに領域分割して、前記ブロック単位で前記判定を実行してもよい。
【００１９】
また、前記参照画像は所定の特徴を有する特徴パターンを含んでもよい。
【発明の効果】
【００２０】
このようにすれば、画像を貼付した記録シートを使用した印刷物を読み取ることによって、当該画像を含むスキャンデータを保存する不正行為を防止することができる。
【図面の簡単な説明】
【００２１】
【図１】本発明の実施の形態に係る複合機の主要な構成を示す図である。
【図２】読取制御部１０３とプリンター制御部１２２の主要なハードウェア構成を示すブロック図である。
【図３】読取制御部１０３とプリンター制御部１２２の主要な機能構成を示すブロック図である。
【図４】プリンター制御部１２２の動作を示すフローチャートである。
【図５】読取制御部１０３の動作のうちメインルーチンを説明するフローチャートである。
【図６】読取制御部１０３の動作のうち品質確認処理を説明するフローチャートである。
【図７】読取制御部１０３の動作のうち参照画像検知処理を説明するフローチャートである。
【図８】読取制御部１０３の動作のうちログ処理を示すフローチャートである。
【図９】（ａ）は印刷処理の流れを表す図であり、（ｂ）は参照画像の態様と検出処理の関係を説明する表である。
【図１０】印刷物を１バンド読み取る毎に参照画像を検出する変形例に係る読取制御部１０３の動作のうちメインルーチンを説明するフローチャートである。
【図１１】印刷物を１バンド読み取る毎に参照画像を検出する変形例に係る読取制御部１０３の動作のうち品質確認処理を説明するフローチャートである。
【図１２】本発明の変形例に係る読取装置１００の主要な構成を示す図である。
【図１３】本発明の変形例に係る読取制御部１０３の動作のうち参照画像検知処理の一部を説明するフローチャートである。
【発明を実施するための形態】
【００２２】
以下、本発明に係る画像読取装置の実施の形態について、複合機（MFP: Multi-Function Peripheral）を例にとり、図面を参照しながら説明する。
［１］複合機の構成
まず、本実施の形態に係る複合機の構成について説明する。
【００２３】
図１に示すように、複合機１は、読取装置１００、スキャナー装置１１０、プリンター装置１２０、給紙装置１３０およびフィニッシャー装置１４０を備えており、プリンター機能やスキャナー機能、コピー機能、ファクシミリ機能、ドキュメント・サーバー機能などの機能を果たす。
【００２４】
スキャナー装置１１０は、プリンター装置１２０が備える操作パネル１２１によってユーザーから原稿の読み取り指示を受け付けると、自動原稿搬送装置（ADF: Automatic Document Feeder）１１１を用いて、原稿トレイ１１２に載置された原稿束から原稿を１枚ずつ画像読み取り部１１３へ搬送し、画像読み取り部１１３を用いて、原稿を読み取り画像データを生成する。読み取られた原稿は排紙トレイ１１４上に排出される。
【００２５】
プリンター装置１２０は、いわゆるタンデム型のカラープリンターであって、電子写真方式によって画像を形成する。なお、インクジェット方式など電子写真方式以外の方式を採用してもよい。また、営業秘密等が記載されたモノクロの機密文書が不正に複製される場合を考慮すると、プリンター装置１２０はモノクロプリンターであってもよい。
【００２６】
プリンター装置１２０はプリンター制御部１２２を備えており、プリンター制御部１２２はＬＡＮ（Local Area Network）等の不図示の通信ネットワークを経由してＰＣ（Personal Computer）等の他の装置から印刷ジョブを受け付けたり、操作パネル１２１を用いたユーザーの指示入力によって印刷ジョブを受け付けたりする。
【００２７】
プリンター装置１２０は、プリンター制御部１２２にて印刷ジョブを受け付けると、モノクロ画像を形成する場合には、作像部１２３Ｋのみを用いてＫ色のトナー像を形成して、中間転写ベルト１２４上に静電転写（一次転写）する。また、カラー画像を形成する場合には、作像部１２３Ｙ、１２３Ｍ、１２３Ｃおよび１２３Ｋを用いてＹＭＣＫ各色のトナー像を形成して、これらのトナー像が互いに重なり合うように中間転写ベルト１２４上に静電転写（一次転写）する。これによって、カラートナー像が形成される。
【００２８】
中間転写ベルト１２４は、駆動ローラー、従動ローラーおよびテンションローラーに張架されており、駆動ローラーの回転駆動によって矢印Ａ方向に回転走行する。中間転写ベルト１２４は、当該回転走行によってトナー像を、二次転写ローラー対１２６まで搬送する。
【００２９】
給紙装置１３０は、給紙トレイ１３１、１３２、１３３および１３４に収容されている記録シートを、ピックアップローラー１３１ｒ、１３２ｒ、１３３ｒおよび１３４ｒを用いて１枚ずつ繰り出す。給紙装置１３０は、印刷ジョブにおける紙種の指定に応じた給紙トレイから記録シートを繰り出す。繰り出された記録シートは、搬送ローラーによって搬送され、タイミングローラー１２５によってスキューを補正されるとともに、搬送タイミングを調整された後、二次転写ローラー対１２６まで搬送される。
【００３０】
二次転写ローラー対１２６には二次転写バイアス電圧が印可されており、これによって、中間転写ベルト１２４上のトナー像が記録シートへ静電転写（二次転写）される。二次転写後に中間転写ベルト１２４上に残留するトナーは、クリーニングブレード１２７によって掻き取られ廃棄される。記録シートは、定着部１２８によってトナー像を熱定着された後、搬送経路１２９を経由して、読取装置１００へ向かって搬送される。
【００３１】
読取装置１００は、搬送装置１２９から記録シートを受け付けると、ラインスキャナー１０１、１０２を用いて記録シートの表面および裏面を読み取って画像データ（以下、「スキャンデータ」という。）を生成する。プリンター装置１２０がカラープリンターである場合にはラインスキャナー１０１、１０２としてカラースキャナーを用いるのが望ましく、プリンター装置１２０がモノクロプリンターである場合には、ラインスキャナー１０１、１０２としてモノクロスキャナーを用いるのが望ましい。
【００３２】
また、読取装置１００は、片面印刷と両面印刷とのいずれを行ったかの通知をプリンター装置１２０から受けて、プリンター装置１２０が片面印刷を行った場合にはラインスキャナー１０２のみを用いて記録シートの表面の読み取りを行い、プリンター装置１２０が両面印刷を行った場合にはラインスキャナー１０１を用いて記録シートの表面の読み取りを行い、ラインスキャナー１０２を用いて裏面の読み取りを行ってもよい。
【００３３】
読取制御部１０３は、スキャンデータに、予め記憶している参照画像が含まれているか否かに応じて経路切り替え爪１０５の姿勢を制御する。搬送経路１０４を通過した記録シートは、参照画像を含む場合には経路切り替え爪１０５によって搬送経路１０７に導かれ、断裁ローラー１０８によって断裁された後、断裁屑収容部１０９に収容される。一方、参照画像が含まれていない場合には、記録シートは経路切り替え爪１０５によって搬送経路１０６へ導かれ、フィニッシャー装置１４０へ出力される。
【００３４】
フィニッシャー装置１４０は、印刷ジョブにおいて後処理が指示されているか否かに応じて経路切り替え爪１４５の姿勢を制御する。後処理が指示されていない場合には、記録シートは、搬送経路１４１を経由し、経路切り替え爪１４５によって排紙トレイ１４２へ導かれる。また、後処理が指示されている場合には、経路切り替え爪１４５は記録シートを後処理装置１４３へ導く。
【００３５】
後処理装置１４３は、印刷ジョブにおける指示に応じて、記録シート束の整合、パンチ、ステープルおよび折り等の後処理を記録シートに施す。後処理を施された記録シートは排紙トレイ１４４上へ排出される。
［２］読取制御部１０３およびプリンター制御部１２２のハードウェア構成
次に、読取制御部１０３およびプリンター制御部１２２のハードウェア構成について説明する。
（２−１）プリンター制御部１２２のハードウェア構成
図２に示すように、プリンター制御部１２２は、ＣＰＵ（Central Processing Unit）２０１、ＲＯＭ（Read Only Memory）２０２およびＲＡＭ（Random Access Memory）２０３等を備えており、複合機１に電源が投入されると、ＣＰＵ２０１は、ＲＯＭ２０２からブートプログラムを読み出して起動し、ＲＡＭ２０３を作業用記憶領域として、ＨＤＤ（Hard Disk Drive）２０４から読み出したＯＳ（Operating System）や制御プログラムを実行する。
【００３６】
ＮＩＣ（Network Interface Card）２０５は、ＬＡＮ等の通信ネットワークを経由して他の装置から印刷ジョブを受け付けたり、他の装置へ画像データを送信したりする際の通信処理を実行する。ＦＡＸインターフェイス２０６は、ファクシミリ回線を経由して、他のファクシミリ装置とファクシミリ・データの送受信を行う。
【００３７】
プリンター制御部１２２は、操作パネル１２１の動作を制御することによって、複合機１のユーザーに対して情報を提示したり、当該ユーザーから指示を受け付けたりする。当該指示には、例えば、原稿の読み取りによる画像データの生成、当該画像データを用いた複写、当該画像データを用いたファクシミリ送信、他の装置から受け付けた印刷ジョブの実行、他のファクシミリ装置から受信したファクシミリ・データの印刷出力などがある。
【００３８】
画像を形成する際には、プリンター制御部１２２は、例えば、作像部１２３Ｙ、１２３Ｍ、１２３Ｃおよび１２３Ｋを制御して、ＹＭＣＫ各色のトナー像を形成したり、定着部１２８の定着温度を制御しながら記録シートにトナー像を熱定着したりする。同様に、プリンター制御部１２２は、スキャナー装置１１０を制御して、原稿を読み取って画像データを生成させたり、給紙装置１３０を制御して、印刷ジョブで指定されたり、操作パネル１２１を用いてユーザーが指定したりした記録シートを給紙させたりする。
（２−２）読取制御部１０３のハードウェア構成
読取制御部１０３は、プリンター制御部１２２と同様に、ＣＰＵ（Central Processing Unit）２１１、ＲＯＭ（Read Only Memory）２１２およびＲＡＭ（Random Access Memory）２１３等を備えており、複合機１に電源が投入されると、ＣＰＵ２１１は、ＲＯＭ２１２からブートプログラムを読み出して起動し、ＲＡＭ２１３を作業用記憶領域として、ＨＤＤ（Hard Disk Drive）２１４から読み出したＯＳ（Operating System）や制御プログラムを実行する。
【００３９】
これによって、ＣＰＵ２１１は、ラインスキャナー１０１、１０２が原稿を読み取って出力するライン毎の画像データから画像データを生成して、参照画像の有無を判定し、当該判定結果に応じて経路切り替え爪１０５の姿勢を制御したり、断裁ローラー１０８を断裁動作させたりする。
【００４０】
また、読取制御部１０３は、タッチパネル（TP）２１５を備えており、複合機１のユーザーに対して情報を提示したり、ユーザーからの指示入力を受け付けたりすることができる。
［３］読取制御部１０３およびプリンター制御部１２２の機能構成
次に、読取制御部１０３およびプリンター制御部１２２の機能構成について説明する。
（３−１）プリンター制御部１２２の機能構成
図３に示すように、プリンター制御部１２２は、ラスター画像処理部（RIP: Raster Image Processor。以下、「ＲＩＰ部」という。）３０１、編集処理部３０２、プリンター画像検知部３０３および印字処理部３０４を備えており、これらの機能はＣＰＵ２０１が制御プログラムを実行することによって実現される。
【００４１】
ＲＩＰ部３０１は、印刷ジョブが指定する画像データからラスタライズ処理によってラスター画像データ（以下、「ＲＩＰデータ」という。）を生成する。印刷ジョブは、ＰｏｓｔｓｃｒｉｐｔやＰＤＦ（Portable Document Format）、ＸＰＳ（XML Paper Specification。XML: Extensible Markup Language）等のページ記述言語を用いて記述される。また、ＲＩＰデータはビットマップデータである。
【００４２】
編集処理部３０２は、ＲＩＰ部３０１が生成したＲＩＰデータを編集した画像データ（以下、「印刷データ」という。）を生成する。特に、印刷ジョブにおいて変倍率が指定されている場合に、ＲＩＰデータを当該変倍率だけ変倍する。なお、印刷ジョブにおいては、数値によって変倍率が指定される場合と、２ｉｎ１のようにレイアウトを指定することによって変倍率が指定される場合とがある。
【００４３】
編集処理部３０２は、読取制御部１０３の逆変倍処理部３１４からの要求に応じて変倍率を送信したり、品質確認部３１１からの要求に応じて印刷データを送信したりする。本実施の形態においては、印刷ジョブにおいて数値を用いて変倍率が指定されたか否かに関わらず、変倍率を表す数値を読取制御部１０３へ送信する場合を例にとって説明するが、数値以外のデータを用いて変倍率を表示してもよいことは言うまでもない。
【００４４】
プリンター画像検知部３０３は、印刷データに参照画像が含まれているか否かを検知する。本実施の形態において、参照画像とは、紙幣や証券のように複製が禁止されている証票に、当該証券の真贋を特定するために印刷された画像や、秘密漏洩を防止する必要がある文書に表された特定のパターン、マーク等の画像を含む禁止画像をいい、そのような禁止画像には、例えば、「社外秘」や「ＣＯＮＦＩＤＥＮＴＩＡＬ」といった文字列を含むマークあるいはパターンが挙げられる。
【００４５】
なお、参照画像は複製が禁止された禁止画像または複製の禁止を示す禁止画像を含む。また、参照画像は所定の特徴を有する特徴パターンを含むものとする。
【００４６】
プリンター画像検知部３０３は、上述のような参照画像を予め記憶しており、参照画像毎に当該参照画像と印刷データとを比較することによって、当該印刷データに当該参照画像が含まれているか否かを検知する。プリンター画像検知部３０３は、読取制御部１０３の読取画像検知部３１５からの要求に応じて、検知結果を送信する。また、プリンター画像検知部３０３は、検知結果を印字処理部３０４に通知する。
【００４７】
印字処理部３０４は、編集処理部３０２が生成した印刷データを用いて、給紙装置１３０が供給する記録シート上に画像を形成する。なお、プリンター画像検知部３０３が、印刷データに参照画像が含まれているとの検知結果を通知した場合には、画像形成を実行しない。また、図３において、破線の矢印は記録シートおよび印刷物の流れを表している。
（３−２）読取制御部１０３の機能構成
読取制御部１０３は、品質確認部３１１、ログ処理部３１２および表示部３１３等を備えており、これらの機能はＣＰＵ２１１が制御プログラムを実行することによって実現される。
【００４８】
読み取り処理部３１７は、ラインスキャナー１０１、１０２を用いて、プリンター装置１２０が出力した印刷物を読み取り、スキャンデータを生成する。
【００４９】
品質確認部３１１は、編集処理部３０２から印刷データを取得して、印刷データとスキャンデータとを比較し、印刷データとスキャンデータとが一致するか否かを判定する。印刷データとスキャンデータとが一致しない場合には、印刷物が破れていたり皴になっていたりする等、印刷品質に問題があるか、若しくは記録シートに何らかの画像が貼付されていると推定することができる。
【００５０】
トンボ検知部３１６は、スキャンデータにトンボが含まれているか否かを検知する。トンボは、印刷物の仕上がり寸法や多色刷りの見当を合わせるための目印であって、見当標やレジスターマーク、トリムマークとも呼ばれる。印字処理部３０４は、トンボを四隅とする領域の内側（以下、「トンボ内領域」という。）に印字を行う。以下、スキャンデータのうち、トンボを四隅とする領域の外側を「トンボ外領域」というものとする。
【００５１】
読取画像検知部３１５は、予め記憶している参照画像を順次、画像データと比較することによって、スキャンデータ（特に、トンボ外領域。）および逆変倍データに参照画像が含まれているか否かを検知する。また、印刷データに参照画像が含まれているか否かについての検知結果をプリンター画像検知部３０３から取得する。なお、本実施の形態においては、読取画像検知部３１５は、プリンター画像検知部３０３が記憶する参照画像と同じ参照画像を記憶している。
【００５２】
逆変倍処理部３１４は、プリンター制御部１２２の編集処理部３０２から、スキャンデータに対応する印刷データの変倍率Ｍを取得して、スキャンデータを逆変倍した画像データ（以下、「逆変倍データ」という。）を生成する。ここで、逆変倍とは、編集処理部３０２から取得した変倍率Ｍの逆数（１／Ｍ）の変倍率でスキャンデータを変倍する処理をいう。
【００５３】
ログ処理部３１２は、印刷物毎にイメージ・ログと表示用スクリーンネイル画像を作成する。イメージ・ログには、品質確認部３１１による品質確認結果、読取画像検知部３１５による検知結果およびスキャンデータが含まれる。また、表示用スクリーンネイル画像はイメージ・ログを縮小したサムネイル画像である。
【００５４】
表示部３１３は、ログ処理部３１２が生成した表示用スクリーンネイル画像をタッチパネル２１５に一覧表示する。複合機１のユーザーがいずれかの表示用スクリーンネイル画像にタッチすると、当該表示用スクリーンネイル画像に対応するイメージ・ログがタッチパネル２１５に表示される。
【００５５】
断裁処理部３１８は、経路切り替え爪１０５の姿勢を制御して、印刷物を断裁ローラー１０８へ案内し、印刷物を断裁して、断裁屑を断裁屑収容部１０９へ廃棄する。断裁しない場合には、経路切り替え爪１０５の姿勢を制御して、印刷物をフィニッシャー装置１４０へ案内する。印刷ジョブにて後処理が指定されている場合には、印刷物は後処理ユニット１４３で後処理された後、排紙トレイ１４４へ排出される。後処理をしない場合には、印刷物はそのまま排紙トレイ１４２へ排出される。
［３］プリンター制御部１２２の動作
次に、プリンター制御部１２２の動作について説明する。
【００５６】
図４に示すように、プリンター制御部１２２は、印刷ジョブを受け付けると（Ｓ４０１：ＹＥＳ）、ＲＩＰ部３０１にて印刷ジョブに含まれる画像データからＲＩＰデータを生成し（Ｓ４１１）、編集処理部３０２にてＲＩＰデータを編集して印刷データを生成する（Ｓ４１２）。編集処理部３０２は、印刷データを生成する際に、ＲＩＰデータを変倍する場合がある。
【００５７】
編集処理部３０２は、印刷データを生成した後、当該印刷データを記憶するとともに（Ｓ４１３）、変倍率を記憶する（Ｓ４１４）。なお、ＲＩＰデータを編集して印刷データを生成した際に変倍処理を行わなかった場合には、変倍率として１倍を記憶する。
【００５８】
次に、プリンター画像検知部３０３が印刷データに参照画像が含まれているか否かを確認して（Ｓ４１５）、その検知結果を記憶する（Ｓ４１６）。印刷データに参照画像が含まれていなかった場合には（Ｓ４１７：ＮＯ）、当該印刷データを用いて印字処理を実行し（Ｓ４１８）、ステップＳ４０１へ進む。印刷データに参照画像が含まれている場合には（Ｓ４１７：ＹＥＳ）、印字処理を実行することなく、ステップＳ４０１へ進む。
【００５９】
編集処理部３０２にてＲＩＰデータを編集して印刷データを生成した際の変倍率を、読取制御部１０３の逆変倍処理部３１４から要求された場合には（Ｓ４０２：ＹＥＳ）、編集処理部３０２は逆変倍処理部３１４に変倍率を送信する（Ｓ４２１）。
【００６０】
プリンター画像検知部３０３による検知結果を、読取制御部１０３の読取画像検知部３１５から要求された場合には（Ｓ４０３：ＹＥＳ）、プリンター画像検知部３０３は、要求元の読取画像検知部３１５へ検知結果を送信する（Ｓ４３１）。
【００６１】
読取制御部１０３の品質確認部３１１から印刷データを要求された場合には（Ｓ４０４：ＹＥＳ）、編集処理部３０２は、品質確認部３１１へ印刷データを送信する（Ｓ４４１）。
［４］読取制御部１０３の動作
次に、読取制御部１０３の動作について説明する。
【００６２】
図５に示すように、読取制御部１０３は読み取り処理部３１７にて印刷物を１枚読み取ってスキャンデータを生成したら（Ｓ５０１：ＹＥＳ）、品質確認処理（Ｓ５０２）、参照画像検知処理（Ｓ５０３）およびログ処理（Ｓ５０４）を順次実行する。
（４−１）品質確認処理（Ｓ５０２）
品質確認処理（Ｓ５０２）においては、図６に示すように、品質確認部３１１にて、プリンター制御部１２２の編集処理部３０２から印刷データを取得して（Ｓ６０１）、取得した印刷データがスキャンデータと一致するか確認する（Ｓ６０２）。印刷データがスキャンデータと一致する場合には（Ｓ６０３：ＹＥＳ）、印刷物の品質に問題はないと考えられるので、図５に示すメインルーチンに復帰して、参照画像検知処理（Ｓ５０３）を実行する。
【００６３】
印刷データがスキャンデータと一致しない場合には（Ｓ６０３：ＮＯ）、読取画像検知部３１５は、印刷データがスキャンデータと一致しないとの確認結果を記憶した後（Ｓ６０４）、スキャンデータにトンボが含まれているか否かを確認する（Ｓ６０５）。トンボが含まれている場合には（Ｓ６０６：ＹＥＳ）、スキャンデータのトンボ外領域に参照画像が含まれているか否かを確認する（Ｓ６０７）。
【００６４】
トンボ内領域に紙幣などの画像を貼付した場合に、貼付した画像に印刷データが上書きされてしまうと、貼付した画像のスキャンデータを精度よく作成することができない。このため、不正なスキャンデータを作成しようとする場合には、紙幣などをトンボ内領域に貼付することはなく、トンボ外領域に貼付するであろうと予想される。このため、本実施の形態においては、スキャンデータのトンボ外領域に参照画像が含まれているか否かを確認する。
【００６５】
トンボ外領域に参照画像が含まれている場合には（Ｓ６０８：ＹＥＳ）、トンボ外領域に参照画像が含まれているとの検知結果を記憶して（Ｓ６０９）、メインルーチンに復帰する。トンボ外領域に参照画像が含まれていない場合（Ｓ６０８：ＮＯ）、並びにスキャンデータにトンボが含まれていない場合（Ｓ６０６：ＮＯ）には、そのままメインルーチンに復帰する。
（４−２）参照画像検知処理（Ｓ５０３）
参照画像検知処理（Ｓ５０３）においては、図７に示すように、逆変倍処理部３１４にてプリンター制御部１２２の編集処理部３０２から変倍率を取得し（Ｓ７０１）、取得した変倍率が等倍である場合には（Ｓ７０２：ＹＥＳ）、メインルーチンに復帰する。取得した変倍率が等倍でない場合には（Ｓ７０２：ＮＯ）、読取画像検知部３１５にてプリンター画像検知部３０３による検知結果を取得する（Ｓ７０３）。
【００６６】
プリンター画像検知部３０３による検知結果が肯定的である場合、言い換えると印刷データに参照画像が含まれているとプリンター画像検知部３０３が判定した場合には（Ｓ７０４：ＹＥＳ）、プリンター装置１２０が印刷データに参照画像を検知した旨を記憶して（Ｓ７１１）、メインルーチンに復帰する。プリンター画像検知部３０３による検知結果が否定的である場合には（Ｓ７０４：ＮＯ）、逆変倍処理部３１４にてスキャンデータを逆変倍して逆変倍データを生成し（Ｓ７０５）、逆変倍データに参照画像が含まれているか否かを読取画像検知部３１５にて確認する（Ｓ７０６）。
【００６７】
読取画像検知部３１５による検知結果が肯定的である場合、言い換えると逆変倍データに参照画像が含まれている場合には（Ｓ７０７：ＹＥＳ）、逆変倍データに参照画像が含まれているとの検知結果を記憶して（Ｓ７０８）、メインルーチンに復帰する。逆変倍データに参照画像が含まれていない場合には（Ｓ７０７：ＮＯ）、そのままメインルーチンに復帰する。
（４−３）ログ処理（Ｓ５０４）
ログ処理（Ｓ５０４）においては、図８に示すように、印刷データに参照画像が含まれているとプリンター画像検知部３０３が検知した場合（Ｓ８０１：ＹＥＳ）、および逆変倍データに参照画像が含まれていると読取画像検知部３１５が検知した場合には（Ｓ８０２：ＹＥＳ）、変倍率が所定の範囲内にあるか否かを読取画像検知部３１５にて確認する（Ｓ８１１）。本実施の形態においては、当該所定の範囲は９５％から１０５％とするが、等倍（１００％）を含む範囲であれば他の範囲を当該所定の範囲としてもよい。
【００６８】
変倍率が所定の範囲内にある場合には（Ｓ８１２：ＹＥＳ）、断裁処理部３１８にて印刷物を断裁し（Ｓ８１３）、断裁屑収容部１０９に廃棄する。例えば、印刷データが紙幣画像であって、原寸（等倍）に近い場合には、紙幣と紛らわしいため、偽札として悪用される恐れがある。そこで、変倍率が等倍に近い場合に印刷物を断裁すれば、このような悪用を防止することができる。
【００６９】
ステップＳ８１３の断裁処理の後および変倍率が所定の範囲外である場合には（Ｓ８１２：ＮＯ）、印刷データ、スキャンデータおよび逆変倍データを破棄する（Ｓ８１４）。このようにすれば、これらのデータを利用して印刷物を複製することができなくなるので、紙幣等のように複製が禁止されている印刷物の不正な複製や文書複製による機密の漏洩を防止することができる。
【００７０】
その後、ログ処理部３１２にてイメージ・ログと、当該イメージ・ログを縮小した表示用スクリーンネイル画像とを生成して、イメージ・ログを記録する（Ｓ８１５）。このイメージ・ログには、プリンター画像検知部３０３が印刷データに参照画像を検知した場合には（Ｓ８０１：ＹＥＳ）、プリンター画像検知部３０３が印刷データに参照画像を検知した旨の表示が含まれる。また、読取画像検知部３１５が逆変倍データに参照画像を検知した場合には（Ｓ８０２：ＹＥＳ）、逆変倍データに参照画像を検知した旨の表示がイメージ・ログに含まれる。
【００７１】
その後、表示部３１３にて表示用スクリーンネイル画像をタッチパネル２１５に表示して（Ｓ８１６）、メインルーチンに復帰する。なお、スキャンデータが廃棄されている場合には、ログ処理部３１２は、スキャンデータを含まないイメージ・ログを生成する。当然ながら、スキャンデータを含まないイメージ・ログから生成される表示用スクリーンネイル画像もまたスキャンデータを含まない。
【００７２】
印刷データにも逆変倍データにも参照画像を検出しなかった場合であって（Ｓ８０２：ＮＯ）、スキャンデータのトンボ外領域に参照画像を検知した場合には（Ｓ８０３：ＹＥＳ）、上述と同様にステップＳ８１４、Ｓ８１５およびＳ８１６を実行する。つまり、印刷データ、スキャンデータおよび逆変倍データを破棄し、トンボ外領域に参照画像が検知された旨の表示を含むイメージ・ログを記録し、表示用スクリーンネイル画像をタッチパネル２１５に表示して、メインルーチンに復帰する。
【００７３】
スキャンデータのトンボ外領域に参照画像が検知されず（Ｓ８０３：ＮＯ）、印刷データがスキャンデータと一致しない場合には（Ｓ８０４：ＮＯ）、印刷データがスキャンデータと一致しない旨の表示を含むイメージ・ログを記録し（Ｓ８１５）、表示用スクリーンネイル画像をタッチパネル２１５に表示して（Ｓ８１６）、メインルーチンに復帰する。また、印刷データがスキャンデータと一致する場合には（Ｓ８０４：ＹＥＳ）、そのままメインルーチンに復帰する。
【００７４】
なお、印刷物を断裁しない場合には、印刷物をフィニッシャー装置１４０へ出力する。
［５］効果
本実施の形態による効果について説明する。
【００７５】
図９（ａ）に示すように、記録シートに紙幣など、参照画像を含んだ禁止画像が貼付された場合、当該貼付によってＲＩＰデータおよび印刷データに参照画像が含まれるようにはならないので、プリンター装置１２０が印刷データを用いて参照画像を検知することはできない。
【００７６】
また、図９（ｂ）のケース＃１のように、ＲＩＰデータから印刷データを作成する際の変倍率が等倍である場合には、プリンター装置１２０において印刷データに含まれた参照画像を検知することができる。このため、変倍率が等倍である場合であって、かつプリンター装置１２０が印刷データに参照画像を検知しなかった場合には、読取装置１００において検知処理を行っても無駄に処理負荷が発生してしまうだけになるので、読取装置１００においては検知処理を省くのが望ましい。
【００７７】
しかしながら、上述のように読取装置１００における検知処理を省くと、ＲＩＰデータに参照画像が含まれておらず、かつ、記録シートに禁止画像が貼付されている場合、プリンター装置１２０においては、印刷データに参照画像が含まれていないので印刷処理が許可されるとともに、読取装置１００においては、変倍率が等倍だから検知処理が省かれるため、記録シートに貼付された禁止画像に含まれる参照画像を検知することができなくなる。その結果、禁止画像を含んだスキャンデータが読取装置１００に保存されてしまうと、保存されたスキャンデータが悪用される恐れがある。
【００７８】
更に、図９（ｂ）のケース＃２、＃３のように、ＲＩＰデータから印刷データを作成する際の変倍率が等倍でない場合には、逆変倍処理部３１４にてスキャンデータを逆変倍してから、当該逆変倍データに参照画像が含まれているか否かを読取画像検知部３１５にて確認する。このため、記録シートに禁止画像が貼付されている場合、当該記録シートを読み取ったスキャンデータにおいては禁止画像ならびに当該禁止画像に含まれている参照画像が等倍であるのに対して、当該スキャンデータを逆変倍した逆変倍データにおいては、禁止画像も当該禁止画像に含まれている参照画像も逆変倍によって等倍、原寸でなくなってしまう。読取画像検知部３１５は等倍の参照画像のみを検知するため、逆変倍によって等倍でなくなった参照画像は検知することができない。その結果、禁止画像を含んだスキャンデータが保存されてしまうことになる。
【００７９】
このような問題に対して、図６に示すように、印刷データがスキャンデータと一致しない場合には、スキャンデータに参照画像が含まれているか否かを検知すれば、記録シートに禁止画像が貼付されていてもスキャンデータに含まれている参照画像は等倍であるから検知することができる。また、逆変倍データとは異なって、スキャンデータは逆変倍されないので、編集処理部３０２における変倍率の如何に関わらず、参照画像を検知することができる。従って、禁止画像を含んだスキャンデータを保存する不正行為を阻止することができる。
【００８０】
なお、記録シートに禁止画像が貼付されていない場合、図９（ｂ）のケース＃４のように、変倍率が等倍ならば、プリンター装置１２０で印刷データに含まれる参照画像を検知して、印刷処理を禁止するので、印刷物が読取装置１００へ搬送されることはない。従って、禁止画像を含んだスキャンデータが読取装置１００に保存されるのを阻止することができる。
【００８１】
また、図９（ｂ）のケース＃５のように、変倍率が等倍から大きく離れている場合には、読取装置１００において逆変倍データに含まれる参照画像を検知するので、禁止画像を含んだスキャンデータが保存されるのを阻止することができる。また、変倍率が等倍から大きく離れている場合には、印刷物と禁止画像の実物とが混同される恐れがないので、印刷出力しても問題はない。
【００８２】
一方、図９（ｂ）のケース＃６のように、変倍率が等倍に近い場合にも、読取装置１００において逆変倍データに含まれる参照画像を検知して、禁止画像を含んだスキャンデータが保存されるのを阻止する。また、この場合には、印刷物と禁止画像の実物とが混同される恐れがあるので、印刷物を断裁する。
【００８３】
なお、上記のいずれの場合においても、原寸の参照画像を用いて禁止画像の有無を判定することができる。従って、ＲＩＰデータが変倍されることを考慮して、さまざまな変倍率の参照画像を用いて禁止画像の有無を判定する場合と比較して、参照画像を検出するために必要になる読取装置１００やプリンター装置１２０の処理負荷を低減することができる。
［６］変形例
以上、本発明を実施の形態に基づいて説明してきたが、本発明が上述の実施の形態に限定されないのは勿論であり、以下のような変形例を実施することができる。
（６−１）上記実施の形態においては、印刷データがスキャンデータと一致しなければ（Ｓ６０３：ＮＯ）、トンボ外領域に参照画像が含まれているか否かを確認する場合を例にとって説明したが、本発明がこれに限定されないのは言うまでもなく、トンボ外領域に加えてトンボ内領域についても参照画像が含まれているか否かを確認し、トンボ外領域とトンボ内領域とのいずれか、言い換えるとスキャンデータに参照画像が含まれている場合には印刷データ、スキャンデータおよび逆変倍データを破棄してもよい。
【００８４】
このようにすれば、記録シートのトンボ内領域に禁止画像が貼付されており、かつプリンター装置１２０がＲＩＰデータから印刷データを編集した際の変倍率が等倍でない場合には、逆変倍データを用いて、記録シートに貼付された禁止画像に含まれる参照画像を検知することはできないのに対して、スキャンデータを用いるので当該参照画像を検知することができる。
【００８５】
なお、ＲＩＰデータに禁止画像が含まれていない場合には、印刷データにも禁止画像が含まれていないので、スキャンデータおよび逆変倍データのみを破棄するだけでも有効である。
（６−２）上記実施の形態においては、読み取り処理部３１７がラインスキャナー１０１、１０２を用いて印刷物を１枚ずつ先端から後端までを読み取ってスキャンデータを生成してから品質確認処理（ステップＳ５０２）を実行する場合を例にとって説明したが、本発明がこれに限定されないのは言うまでもなく、これに代えて次のようにしてもよい。
【００８６】
例えば、図１０に示すように、読取制御部１０３は、読み取り処理部３１７にて新たな印刷物の先端を検出したら（Ｓ１００１：ＹＥＳ）、スキャンデータの生成を開始する。読み取り処理部３１７が印刷物を１バンド分、読み取って当該１バンド分のスキャンデータを生成したら（Ｓ１００２：ＹＥＳ）、品質確認処理を実行する（Ｓ１００３）。当該品質確認処理において参照画像を検知した場合には（Ｓ１００４：ＹＥＳ）、ログ処理を実行する（Ｓ１００８）。品質確認処理において参照画像を検知しなかった場合には（Ｓ１００４：ＮＯ）、参照画像検知処理を実行する（Ｓ１００５）。
【００８７】
参照画像検知処理において参照画像を検知した場合には（Ｓ１００６：ＹＥＳ）、ログ処理を実行する（Ｓ１００８）。参照画像検知処理において参照画像を検知しなかった場合には（Ｓ１００６：ＹＥＳ）、当該１バンドが当該印刷物の最後に読み取られるバンドではなく、当該印刷物の読み取りはまだ完了していないと判断される場合には（Ｓ１００７：ＮＯ）、ステップＳ１００２へ進んで上記の処理を繰り返す。
【００８８】
一方、当該印刷物の読み取りを完了したと判断した場合には（Ｓ１００７：ＹＥＳ）、ログ処理（Ｓ１００８）を実行する。ログ処理の完了後、ステップＳ１００１へ進んで、次の印刷物の先端が検出されるのを待つ。
【００８９】
品質確認処理（Ｓ１００３）においては、図１１に示すように、品質確認部３１１にて、プリンター制御部１２２の編集処理部３０２から印刷データを取得して（Ｓ１１０１）、取得した印刷データがスキャンデータと当該バンド部分について一致するか確認する（Ｓ１１０２）。当該バンド部分について印刷データがスキャンデータと一致する場合には（Ｓ１１０３：ＹＥＳ）、図１０に示すメインルーチンに復帰して、参照画像検知処理（Ｓ１００５）を実行する。
【００９０】
印刷データがスキャンデータと一致しない場合には（Ｓ１１０３：ＮＯ）、読取画像検知部３１５は、印刷データがスキャンデータと一致しないとの確認結果を記憶した後（Ｓ１１０４）、スキャンデータに参照画像が含まれているか否かを確認する（Ｓ１１０５）。本変形例においては、４つのトンボすべての有無を確認することができるまで待つことなく、バンド単位で処理を行うため、トンボ内領域とトンボ外領域とを区別することなく、参照画像を検知する。
【００９１】
参照画像が含まれている場合には（Ｓ１１０６：ＹＥＳ）、参照画像が含まれているとの検知結果を記憶して（Ｓ１１０７）、メインルーチンに復帰する。参照画像が含まれていない場合には（Ｓ１１０６：ＮＯ）、そのままメインルーチンに復帰する。
【００９２】
参照画像検知処理（Ｓ１００５）については、スキャンデータ単位に代えてスキャンデータのバンド単位で処理を行う点において異なっている他は、上記実施の形態における参照画像検知処理（Ｓ５０３）と同様である。ログ処理（Ｓ１００８）は、上記実施の形態におけるログ処理（Ｓ５０４）と同様である。
【００９３】
このようにすれば、印刷物の後端まで読み取ってから品質確認処理、参照画像検知処理およびログ処理を実行する場合を比較して、処理の完了時期を早めることができるので、読取装置１００、ひいてはプリンター装置１２０の生産性を向上させることができる。
【００９４】
なお、印刷物上で隣接するバンドどうしは互いに重なり合っていてもよく、このようにすれば、バンドどうしの境界で参照画像が分割されることによって、禁止画像の検知精度が低下するのを抑制することができる。
（６−３）上記実施の形態においては、禁止画像が印刷されている記録シートを断裁する場合を例にとって説明したが、本発明がこれに限定されないのは言うまでもなく、これに代えて次のようにしてもよい。
【００９５】
例えば、図１２に示すように、読取装置１００の内部に記録シート収容部１２０１を設けることによって、記録シートを断裁する代わりに保管してもよい。記録シート収容部１２０１には、記録シート束を載置するためのシートトレイ１２０２と、シートトレイ１２０２を支持する支持部材１２０３とが配設されており、支持部材１２０３は、シートトレイ１２０２上に載置される記録シートの枚数が多くなるほど、シートトレイ１２０２の位置が低くなるように、シートトレイ１２０２を支持する。
【００９６】
また、記録シート収容部１２０１に収容されている記録シートに不特定多数の者がアクセスすると、禁止画像を印刷した印刷物が不正利用される恐れがある。そのようなアクセスを禁止するために、記録シート収容部１２０１は、施錠されており、複合機１の管理者以外の者が、記録シート収容部１２０１に収容されている記録シートにアクセスできないようになっている。
【００９７】
このようにしても、禁止画像を印刷した印刷物の不正利用を防止することができる。
（６−４）上記実施の形態においては、図７のステップＳ７０５において、逆変倍処理部３１４がスキャンデータ全体を逆変倍して逆変倍データを生成する場合を例にとって説明したが、本発明がこれに限定されないのは言うまでもなく、これに代えて次のようにしてもよい。
【００９８】
例えば、逆変倍処理部３１４は、スキャンデータのうち、トンボ内領域のみを逆変倍して逆変倍データを生成してもよい。トンボ外領域については印刷データに対応するスキャンデータは存在し得ず、記録シートに貼付された画像を読み取ったものであり、編集処理部３０２による変倍処理を経ていないため、品質確認処理（Ｓ５０２）において参照画像を検知すれば足りる。
【００９９】
このようにすれば、逆変倍データのデータ量を削減することができるので、逆変倍データに含まれた参照画像を検知するための処理負荷を低減することができる。
（６−５）上記変形例においては、常に逆変倍データに参照画像が含まれているか否かを検知する場合を例にとって説明したが、本発明がこれに限定されないのは言うまでもなく、これに代えて次のようにしてもよい。
【０１００】
例えば、ＲＩＰデータが白紙である場合には、ＲＩＰデータそのものには禁止画像は含まれていないので、逆変倍データを生成する必要はない。スキャンデータに禁止画像が含まれているとすれば、それは記録シートに禁止画像が貼付されている場合だけであるが、その場合には品質確認処理（Ｓ５０２）において参照画像を検知することができる。
【０１０１】
このため、読取制御部１０３がプリンター制御部１２２からＲＩＰデータを取得して、当該ＲＩＰデータが白紙であるか否かを判定し、ＲＩＰデータが白紙でない場合のみ、読取画像検知部３１５が逆変倍データに参照画像が含まれているか否かを検知すれば、逆変倍データに参照画像が含まれていないのが明らかである場合には検知処理を省くことができるので、読取制御部１０３の処理負荷を低減することができる。
【０１０２】
図１３は、図７のフローチャートの冒頭に挿入される処理を示すフローチャートである。図１３に示すように、参照画像検知処理（Ｓ５０３）を開始したら、まず読取制御部１０３は、プリンター制御部１２２のＲＩＰ部３０１からＲＩＰデータを取得し（Ｓ１３０１）、当該ＲＩＰデータが白紙であるか否かを確認する（Ｓ１３０２）。
【０１０３】
ＲＩＰデータが白紙でない場合には（Ｓ１３０３：ＮＯ）、ステップＳ７０１へ進んで、逆変倍処理部３１４にて編集処理部３０２から変倍率を取得する。ＲＩＰデータが白紙である場合には（Ｓ１３０３：ＹＥＳ）、メインルーチンに復帰する。
【０１０４】
このようにすれば、無駄な検知処理を省くことができるので、読取制御部１０３の処理負荷を低減することができる。
（６−６）上記実施の形態においては、読取装置１００が備えるラインスキャナー１０１、１０２がカラースキャナーである場合を例にとって説明したが、本発明がこれに限定されないのは言うまでもなく、プリンター装置１２０がモノクロプリンターである場合には、ラインスキャナー１０１、１０２もまたモノクロスキャナーであってもよい。この場合にも本発明を適用してその効果を得ることができる。
（６−７）上記実施の形態においては特に言及しなかったが、複合機１は、ユーザーが使用を開始するに先立って、ユーザー認証を行ってもよく、読取装置１００のログ処理部３１２は、プリンター装置１２０から当該ユーザーのログイン名を取得して、イメージ・ログに当該ログイン名を記入してもよい。このようにすれば、禁止画像を不正に印刷しようとしたユーザーを特定し易くなるので、かかる不正行為をしないように牽制することができる。
（６−８）上記実施の形態においては、ログ処理部３１２がイメージ・ログおよび表示用スクリーンネイル画像を保存する方法については特に言及しなかったが、イメージ・ログおよび表示用スクリーンネイル画像はＨＤＤ２１４に保存してもよいし、読取制御部１０３にカード・リーダー・ライターを搭載して、コンパクトフラッシュ（登録商標）やスマートメディアなどのメモリカードに保存してもよい。
【０１０５】
読取制御部１０３に挿抜可能な記憶装置にイメージ・ログ等を保存する場合であっても、本発明によれば禁止画像を効率よく検知して、イメージ・ログ等から禁止画像を含むスキャンデータを削除することができるので、禁止画像の不正利用を確実に防止することができる。
（６−９）上記実施の形態においては、複合機１を例にとって説明したが、本発明がこれに限定されないのは言うまでもなく、スキャナー装置１１０やフィニッシャー装置１４０を除外した構成の複合機であってもよいし、ファクシミリ機能を除外してもよい。また、プリンター装置１２０がタンデム型のカラープリンターである場合を例にとって説明したが、プリンター装置１２０はタンデム型以外のカラープリンターであってもよいし、モノクロプリンターであってもよい。
【０１０６】
少なくとも読取装置１００、プリンター装置１２０および給紙装置１３０を備えた装置であれば、本発明を適用して上述のような効果を得ることができる。
（６−１０）上記実施の形態においては、印刷ジョブをＮＩＣ（Network Interface Card）２０５により、ＬＡＮ（Local Area Network）等の通信ネットワークを経由して受信する場合を例にとって説明したが、Bluetooth（登録商標）など他の通信手段で受信しても良い。
【産業上の利用可能性】
【０１０７】
本発明に係る画像読取装置は、禁止されている画像データの作成を阻止することができる装置として有用である。
【符号の説明】
【０１０８】
１…………………複合機
１００……………読取装置
１０１、１０２…ラインスキャナー
１０３……………読取装置制御部
１２０……………プリンター装置
１２２……………プリンター制御部
３１１……………品質確認部
３１２……………ログ処理部
３１５……………読取装置画像検知部
３１６……………トンボ検知部
３１７……………読み取り処理部
【図１】
2020088828.tif 000003
【図２】
2020088828.tif 000004
【図３】
2020088828.tif 000005
【図４】
2020088828.tif 000006
【図５】
2020088828.tif 000007
【図６】
2020088828.tif 000008
【図７】
2020088828.tif 000009
【図８】
2020088828.tif 000010
【図９】
2020088828.tif 000011
【図１０】
2020088828.tif 000012
【図１１】
2020088828.tif 000013
【図１２】
2020088828.tif 000014
【図１３】
2020088828.tif 000015